(57)【特許請求の範囲】
【請求項１】
遠隔位置に配設されている一対の回動本体部材の先端が接離して目的物を挟むように把持する遠隔把持道具の該回動本体部材の先端に取り付ける一対の取付部と、
前記取付部のそれぞれに一端側を回転自在に連結されているとともに該取付部から離隔する他端側を互いに相対回転自在に回転軸により連結されて当該他端側の対向端辺に線材切断用刃部が形成されている一対の回転付属部材を備える切断部と、
前記切断部の前記回転軸の軸方向両側に位置して前記回転軸を中心にして前記回転付属部材と一体回転して前記線材切断用刃部間で挟み込むようにして切断する線状部材の切断箇所の両側を把持する一対の把持部と、
を備えることを特徴とする遠隔把持道具用先端具。
【請求項２】
前記把持部が前記切断部の前記回転付属部材と平行方向に延長されている一対の回転対面部材を備えており、
前記回転対面部材は前記切断部の前記回転軸が両側に延長されて相対回転自在に連結されているとともに前記回転付属部に対面姿勢を維持しつつ一体回転するように前記回転軸から離隔する位置同士が連結部材で連結されていることを特徴とする請求項１に記載の遠隔把持道具用先端具。
【請求項３】
前記切断部における前記回転付属部材の前記回転軸を前記遠隔把持道具の前記回動本体部材の把持空間内に位置させて、
前記回転付属部材の前記線材切断用刃部が前記回転軸に対して前記回動本体部材の先端側に向くように形成されていることを特徴とする請求項２に記載の遠隔把持道具用先端具。
【請求項４】
前記回転対面部材は、
前記遠隔把持道具の前記回動本体部材の先端同士を最大に離隔させたときに、前記回動本体部材の先端側から把持位置に前記線状部材を案内する案内端辺と、
前記遠隔把持道具の前記回動本体部材の先端同士を接近させたときに、前記線状部材を前記前記線材切断用刃部間の切断位置に位置決めするように把持する把持端辺と、
を備える形状に形成されていることを特徴とする請求項３に記載の遠隔把持道具用先端具。
【請求項５】
前記回転対面部材は、前記把持端辺に前記線状部材の外皮部分を切断する外皮切断用刃部が形成されていることを特徴とする請求項４に記載の遠隔把持道具用先端具。
【発明の詳細な説明】
【技術分野】
【０００１】
本発明は、遠隔把持道具用先端具に関し、詳しくは、遠隔位置の電線等を断面鉛直に切断しつつ切断後の電線等を継続して把持できるものに関する。
【背景技術】
【０００２】
従来、遠隔位置の目的物を把持することのできるヤットコ（遠隔把持道具）が知られており、このヤットコを用いて、例えば、絶縁性を確保しつつ電線などを把持する作業等が行われている。
このようなヤットコとしては、例えば、図４に示すようなものがある。ヤットコ１００の把持部１１０は、回動部材１１１、１１２が互いに相対的に回動することにより、それぞれの先端部１１１ａ、１１２ａが接離して、目的物を掴んだり離したりすることができる。
このヤットコ１００は、把持部１１０の回動部材１１１、１１２の先端部１１１ａ、１１２ａで挟むことを基本動作としているために、他の機能を付与するために、各種先端具が提案されており、例えば、ハサミの手持ち側基端部を回転自在に連結することで、そのハサミの先端側切断部で遠隔位置の電線等の切断作業を行えるようにしている（例えば、特許文献１参照）。
【先行技術文献】
【特許文献】
【０００３】
【特許文献１】特開２００８−１９４８２２号公報
【発明の概要】
【発明が解決しようとする課題】
【０００４】
しかしながら、このような遠隔把持道具用先端具にあっては、架線している電線等を切断する際には、その電線端部が充電状態となる場合、周辺に接触してしまうことを未然に防止するために別の作業者が他のヤットコ１００で切断箇所付近を把持しておくなどする必要があり、連携が難しく、作業に熟練が必要という課題がある。
また、電線の切断箇所を導通接続するなどして復旧させる際には、その被覆を剥ぐ作業を行う必要もあることから、切断面が外周面に対して鉛直になるように切断する必要がる。このため、作業者がヤットコ１００を器用に操作して切断箇所の切断方向が鉛直になるように調整する必要があり、作業に熟練が必要という課題がある。また、その切断用のハサミが電線に対して斜めの姿勢に取り付けられている先端工具もあり、その斜めのハサミで鉛直に切断するのはさらに熟練が必要という課題がある。
そこで、本発明は、切断面が鉛直面になるように遠隔位置の電線等を切断する作業を一人で行うことのできる遠隔把持道具用先端具を提供することを目的としている。
【課題を解決するための手段】
【０００５】
上記課題を解決する遠隔把持道具用先端具の発明の一態様は、遠隔位置に配設されている一対の回動本体部材の先端が接離して目的物を挟むように把持する遠隔把持道具の該回動本体部材の先端に取り付ける一対の取付部と、前記取付部のそれぞれに一端側を回転自在に連結されているとともに該取付部から離隔する他端側を互いに相対回転自在に回転軸により連結されて当該他端側の対向端辺に線材切断用刃部が形成されている一対の回転付属部材を備える切断部と、前記切断部の前記回転軸の軸方向両側に位置して前記回転軸を中心にして前記回転付属部材と一体回転して前記線材切断用刃部間で挟み込むようにして切断する線状部材の切断箇所の両側を把持する一対の把持部と、を備えることを特徴とするものである。
【発明の効果】
【０００６】
このように本発明の一態様によれば、遠隔把持道具の回動本体部材の先端のそれぞれに取付部を取り付けることにより、その遠隔把持道具（回動本体部材）に連動して、離れた位置の線状部材を切断部の切断用刃部で切断できるとともに、その切断用刃部（回転付属部材の回動軸）の両側に位置する把持部がその線状部材の切断箇所の両側を把持することができる。
したがって、切断用刃部に対して鉛直姿勢になるように、線状部材の切断箇所の両側を把持することができ、そのまま線状部材の切断面を鉛直面になるように切断できる。この結果、電線等の場合には、その被覆を剥ぐ装置を快適に動作可能にして作業品質を向上させることができ、また、切断した端部を自由に移動させないように把持した状態を維持して安全性を高めることができる。
【図面の簡単な説明】
【０００７】
【図１】図１は、本発明に係る遠隔把持道具用先端具の一実施形態を示す図であり、その先端具を切断刃が見える程度まで開いた状態で、図面に向かって左右方向を遠隔把持道具の先端部の開閉方向に一致させたときの平面図である。
【図２】図２は、その先端具を伸ばした状態にして図１の上方から見たときの平面図である。
【図３】図３は、図１と同様に、その先端具の切断刃を備える部材を示す平面図である。
【図４】図４は、その先端具を取り付ける遠隔把持道具を示す平面図である。
【図５】図５は、その遠隔把持道具の先端部に取り付ける先端具の取付部を示す図であり、（ａ）はその斜視図、（ｂ）はその一部縦断面図、（ｃ）はその一部横断面図である。
【図６】図６は、その遠隔把持道具の先端部に先端具の取付部を取り付けた状態を示す一部縦断面図である。
【図７】図７は、その先端具の他の態様を示す図１と同様の平面図である。
【発明を実施するための形態】
【０００８】
本発明の実施形態の一態様としては、遠隔位置に配設されている一対の回動本体部材の先端が接離して目的物を挟むように把持する遠隔把持道具の該回動本体部材の先端に取り付ける一対の取付部と、前記取付部のそれぞれに一端側を回転自在に連結されているとともに該取付部から離隔する他端側を互いに相対回転自在に回転軸により連結されて当該他端側の対向端辺に線材切断用刃部が形成されている一対の回転付属部材を備える切断部と、前記切断部の前記回転軸の軸方向両側に位置して前記回転軸を中心にして前記回転付属部材と一体回転して前記線材切断用刃部間で挟み込むようにして切断する線状部材の切断箇所の両側を把持する一対の把持部と、を備えるのに加えて、次の構成を備えてもよい。
【０００９】
第１の他の態様としては、前記把持部が前記切断部の前記回転付属部材と平行方向に延長されている一対の回転対面部材を備えており、前記回転対面部材は前記切断部の前記回転軸が両側に延長されて相対回転自在に連結されているとともに前記回転付属部に対面姿勢を維持しつつ一体回転するように前記回転軸から離隔する位置同士が連結部材で連結されていてもよい。
この態様では、切断部の回転付属部材と一体回転して把持部の回転対面部材が線状部材の切断箇所の両側を把持しつつその間を切断することができる。したがって、切断部の回転付属部材と把持部の回転対面部材が同軸回転して切断対象の線状部材を安定した状態で把持しつつ切断することができる。
【００１０】
第２の他の態様としては、前記切断部における前記回転付属部材の前記回転軸を前記遠隔把持道具の前記回動本体部材の把持空間内に位置させて、前記回転付属部材の前記線材切断用刃部が前記回転軸付近の前記把持空間の開放側に形成されていてもよい。
この態様では、切断部の切断用刃部を備える回転付属部材を遠隔把持道具の回動本体部材の内部に配置させて、回転動作させることができる。したがって、切断部の回転付属部材が遠隔把持道具の回転本体部材の先端部よりも突出して揺動してしまうことなく、切断対象の線状部材を安定した状態で把持しつつ切断することができる。
【００１１】
第３の他の態様としては、前記回転対面部材は、前記遠隔把持道具の前記回動本体部材の先端同士を最大に離隔させたときに、前記把持空間の開放側から把持位置に前記線状部材を案内する案内端辺と、前記遠隔把持道具の前記回動本体部材の先端同士を接近させたときに、前記線状部材を前記前記線材切断用刃部間の切断位置に位置決めするように把持する把持端辺と、を備える形状に形成されていてもよい。
この態様では、遠隔把持道具の回動本体部材の先端同士を最大に離隔させる状態まで操作しても、回転対面部材の案内端辺は連続して切断対象の線状部材を切断位置に案内することができ、回転対面部材の把持端辺の間で線状部材を切断位置に位置決めすることができる。したがって、切断対象の線状部材をギャップなどに嵌めてしまうことなくスムーズに案内することができ、そのまま切断位置に位置決めして切断作業を実行することができる。
【００１２】
第４の他の態様としては、前記回転対面部材は、前記把持端辺に前記線状部材の外皮部分を切断する外皮切断用刃部が形成されていてもよい。
この態様では、回転対面部材の把持端辺の間で線状部材を切断位置に位置決めするのと同時に外皮のみを切断することができる。したがって、切断対象の線状部材を切断位置に位置決めして切断作業をするのと同時に外皮を切断することができる。
【００１３】
以下、図面を参照して、本発明の実施形態について詳細に説明する。図１〜図６は本発明に係る遠隔把持道具用先端具の一実施形態を示す図である。
図１および図２において、遠隔把持道具用の先端具１０は、図４に示すヤットコ（遠隔把持道具）１００の把持部１１０に、切断対象の電線などの線状部材（以下では、電線を一例として説明する。）を把持して作業する際に取り付けて使用するものである。
【００１４】
まず、ヤットコ１００は、図４に示すように、各種の部品や材料などの目的物を掴む把持部１１０と、この把持部１１０の操作（力）を入力する操作部１２０と、これら把持部１１０および操作部１２０を離隔させる位置に支持棒１３１により連結するとともにその操作部１２０に入力された作業者による操作を伝達棒１３２により把持部１１０に伝達する支持伝達部１３０と、を備えている。このヤットコ１００は、強度等が必要な金属製の把持部１１０以外の概略全体がプラスチックやゴム材料などの絶縁材料により作製されて絶縁性を確保されている。
【００１５】
把持部１１０は、円弧形状に形成されて支持伝達部１３０の伝達棒１３２の一端側に連結されるとともに支持棒１３１側に配設された回動軸１１３を中心に回動自在に軸支されている回動部材（回動本体部材）１１１と、同様に円弧形状に形成されて支持伝達部１３０の支持棒１３１の一端側に固設された回動部材（回動本体部材）１１２と、により構成されている。この把持部１１０は、回動部材１１１、１１２が回動軸１１３を中心に相対的に回動して互いの先端部１１１ａ、１１２ａを接離させることにより目的物を挟むようにして把持できるように構築されている。
【００１６】
操作部１２０は、支持伝達部１３０の支持棒１３１の他端側に取り付ける取付具１２１と、この取付具１２１に配設された回動軸１２１ａに一端側が回動自在に軸支されているレバーハンドル１２２と、このレバーハンドル１２２と同軸となるように取付具１２１の回動軸１２１ａに一端側が回動自在に軸支されているとともに他端側が回動軸１２３ａを介して相対回動可能に支持伝達部１３０の伝達棒１３２に連結されている連結レバー１２３と、取付具１２１の回動軸１２１ａに配設されてレバーハンドル１２２の回動を連結レバー１２３に伝達するとともに支持伝達部１３０の伝達棒１３２を図４の上方（回動部材１１１、１１２の先端部１１１ａ、１１２ａ同士を離隔させる方向）に押すように付勢する不図示のバネ材料と、により構成されている。
【００１７】
これにより、ヤットコ１００は、作業者が支持伝達部１３０の支持棒１３１を掴んで支持しつつ、操作部１２０のレバーハンドル１２２をその支持棒１３１に接近させる方向に回動させると、その支持伝達部１３０の伝達棒１３２が図４の下方に引かれて把持部１１０の可動な回動部材１１１が不動の回動部材１１２に接近する方向に向かって回動されることにより先端部１１１ａ、１１２ａ同士を接近させることができ、目的物を把持して掴むことができる。一方、ヤットコ１００は、レバーハンドル１２２が放されて伝達棒１３２を介する操作力から解放されると、前記バネ材料の弾性力により伝達棒１３２が図４の上方に押されて可動な回動部材１１１が不動の回動部材１１２から離隔する方向に向かって回動されることにより先端部１１１ａ、１１２ａ同士を離隔させた自然状態に戻る。
【００１８】
ここで、支持伝達部１３０の伝達棒１３２には、連結レバー１２３との連結部の近傍にスプリング１３３が介装されており、レバーハンドル１２２を回動させて伝達棒１３２を引いて回動部材１１１、１１２の先端部１１１ａ、１１２ａを接近させて目的物を把持する際には、その操作力に応じてスプリング１３３が弾性伸長することにより信頼性高く目的物を把持して掴む状態を維持することができる。また、このヤットコ１００は、把持部１１０側からの水分を滴下させる傘カバー１３４と、電線などからの絶縁性を考慮して安全に作業を行い得る限界位置を示す傘カバー１３５とが支持伝達部１３０の支持棒１３１および伝達棒１３２に設けられている。
【００１９】
そして、図１および図２に戻って、先端具１０は、ヤットコ１００の把持部１１０の回動部材１１１、１１２の先端部１１１ａ、１１２ａに一対の取付部１１を介して取り付けることにより機能する道具である。
取付部１１には、回転付属部材２１、２２がそれぞれ一端側を回転自在に連設されている。回転付属部材２１、２２は、ヤットコ１００の回動部材１１１、１１２と一体に連動して回転することにより他端側の切断刃２１ａ、２２ａで遠隔位置の目的物を切断するように協動する。
回転付属部材２１、２２には、両面側に一対の回転対面部材２５、２６がそれぞれ固定状態に固定されている。回転対面部材２５、２６は、ヤットコ１００の回動部材１１１、１１２（回転付属部材２１、２２）と一体に連動回転することにより、回転付属部材２１、２２の切断刃２１ａ、２２ａ（図３参照）間で切断する遠隔位置の目的物の切断箇所の両側を挟み込むようにして掴んで把持するようになっている。
【００２０】
この先端具１０の取付部１１は、ヤットコ１００の回動部材１１１、１１２の先端部１１１ａ、１１２ａを覆う状態に差し込む箱型筐体１２と、この箱型筐体１２をその先端部１１１ａ、１１２ａに着脱可能に固定して取り付け状態を維持する着脱部１３と、により構成されている。
箱型筐体１２は、図５に示すように、ヤットコ１００の先端部１１１ａ、１１２ａを差し込んで内装状態にするように開口する差込口１５が形成されているとともに、その差込口１５の上面側（図５（ａ）の上方）にはその先端部１１１ａ、１１２ａの両側面に形成されている不図示のリブを収装するスリット１６が形成されており、そのスリット１６の間に着脱部１３が配設されている。
着脱部１３は、箱型筐体１２の上面に一体形成された円柱形状部１７内に上下方向に貫通する貫通孔１７ａが穿孔されており、この貫通孔１７ａ内に、箱型筐体１２の内部に先端１８ａを突出させる係合ピン１８と、この係合ピン１８および円柱形状部１７の貫通孔１７ａ内面に両端部をそれぞれ固設されてその係合ピン１８の先端１８ａを箱型筐体１２内に突出させるように付勢するスプリング１９と、が収装されている。
【００２１】
これにより、先端具１０の取付部１１は、着脱部１３の係合ピン１８の後端側の大径部１８ｂを摘まんでスプリング１９の弾性力に抗して引き上げることによって、ヤットコ１００の先端部１１１ａ、１１２ａを箱型筐体１２の差込口１５から差し込むことができ、図６に示すように、その係合ピン１８の大径部１８ｂを離したときにはその先端部１１１ａ、１１２ａの外面に形成されている窪みＰに係合ピン１８の先端１８ａを進入（係合）させて箱型筐体１２内から離脱してしまうことを制限して離脱不能に取り付けて固定することができる。
なお、このヤットコ１００の先端部１１１ａ、１１２ａは、先端具１０の箱型筐体１２上面側に位置する係合ピン１８の大径部１８ｂを摘んで引き上げることにより取付部１１から外すことができる。また、この先端具１０の着脱部１３は、係合ピン１８を引き上げることなく、スプリング１９の弾性力に抗しつつ、ヤットコ１００の先端部１１１ａ、１１２ａを箱型筐体１２の差込口１５から差し込んでもよいことはいうまでもない。
【００２２】
また、着脱部１３は、係合ピン１８の軸部側面に係止ピン１８ｃが立設される一方、円柱形状部１７の貫通孔１７ａには、その係止ピン１８ｃを上下方向に移動可能に収装するスリット１７ｂが形成されている。
これにより、取付部１１は、係合ピン１８の大径部１８ｂを摘まんでスリット１７ｂから係止ピン１８ｃが外れるほど引き上げた後に回転させることにより、その係止ピン１８ｃを円柱形状部１７の上面（スリット１７ｂの脇）に係止させることができ、作業者が手を離しても箱型筐体１２内にその先端１８ａが突出しない状態に保持することができる。この状態で、ヤットコ１００の先端部１１１ａ、１１２ａを取付部１１の箱型筐体１２の差込口１５から容易に差し込むことができ、この後にその大径部１８ｂを逆方向に回転させて係合ピン１８の係止ピン１８ｃをスリット１７ｂ内に進入させることによりその係合ピン１８の先端１８ａをヤットコ１００の先端部１１１ａ、１１２ａの外面の窪みＰに係合させて先端具１０をセットすることができる。
【００２３】
また、図１および図２に戻って、回転付属部材２１、２２は、取付部１１にそれぞれ個別回転軸３１、３２で一端側を回転自在に連結されているとともに、他端側を共通回転軸３３で相対回転自在に連結されており、共通回転軸３３がヤットコ１００の回動部材１１１、１１２の円弧形状（把持空間）内に位置するように取付部１１は先端部１１１ａ、１１２ａに取り付けるようになっている。
【００２４】
回転付属部材２１、２２は、図３に示すように、ヤットコ１００の先端部１１１ａ、１１２ａへの取付時に把持部１１０の外部側（把持空間の開放側）に位置する共通回転軸３３近傍の端辺に、薄刃形状の切断刃（切断用刃部）２１ａ、２２ａが形成されている。この回転付属部材２１、２２は、その切断刃２１ａ、２２ａの背面側をすり合わせる状態を維持したまま共通回転軸３３を中心にして、ヤットコ１００の回動部材１１１、１１２と一体に相対回転する。
【００２５】
これにより、回転付属部材２１、２２は、ヤットコ１００の把持部１１０を操作して回動部材１１１、１１２の先端部１１１ａ、１１２ａ間を近接させるだけで、その回動部材１１１、１１２と一体に連動回転して切断刃２１ａ、２２ａを互いに接近させて間に位置する電線などを挟み込むようにして切断することができる。すなわち、回転付属部材２１、２２自体が切断部を構成する。
このとき、回転付属部材２１、２２は、ヤットコ１００の把持部１１０の把持空間の内部側で、言い換えると、先端部１１１ａ、１１２ａよりも突出するために大きく揺動してしまうことがなく、安定した状態で電線を挟み込んで切断することができる。
【００２６】
回転対面部材２５、２６は、回転付属部材２１、２２の共通回転軸３３を両軸方向に延長した延長軸３４ａ、３４ｂを共通回転軸として一端側が回転自在に連結されている。また、回転対面部材２５、２６は、他端側が回転付属部材２１、２２の中間部に固定軸（連結部材）３５ａ、３５ｂにより固定されている。
これにより、回転対面部材２５、２６は、回転付属部材２１、２２に対面して同一方向に延長されている平行姿勢になるように固定されており、延長軸３４ａ、３４ｂ（共通回転軸３３）を中心にして回転付属部材２１、２２（ヤットコ１００の回動部材１１１、１１２）と一体回転する。
【００２７】
この回転対面部材２５、２６は、回転付属部材２１、２２の切断刃２１ａ、２２ａの両側部に対面する箇所に、ヤットコ１００の把持部１１０の開放側に延長した案内部２５ａ、２５ｂ、２６ａ、２６ｂが形成されている。
案内部２５ａ、２５ｂ、２６ａ、２６ｂは、電線などを収容して位置決めする円形内面を有する位置決め溝２５ｃ、２６ｃを互いの中間部に形成する形状に作製されている。
また、案内部２５ａ、２５ｂ、２６ａ、２６ｂは、位置決め溝２５ｃ、２６ｃから連続する開口形状を形成する斜辺２５ｄ、２６ｄを有するように、回転対面部材２５、２６（回転付属部材２１、２２）の延長方向に対する直交方向外方に突出する突起形状に形成されている。
この案内部２５ａ、２５ｂ、２６ａ、２６ｂは、ヤットコ１００の先端部１１１ａ、１１２ａに取付部１１を介して取り付けられている状態では、互いの斜辺２５ｄ、２６ｄの間に位置する。このため、電線などが位置決め溝２５ｃ、２６ｃの一方側に先行して収容状態になってしまうことを制限することができ、位置決め溝２５ｃ、２６ｃ内に回転対面部材２５、２６（回転付属部材２１、２２）の回転動作に伴って同時に進入して挟み込む状態になる。すなわち、回転対面部材２５、２６が把持部を構成する。
【００２８】
これにより、回転対面部材２５、２６は、回転付属部材２１、２２の切断刃２１ａ、２２ａが切断する、電線の切断箇所の両側を位置決め溝２５ｃ、２６ｃ内に収容して把持することができる。この位置決め溝２５ｃ、２６ｃは、切断刃２１ａ、２２ａと対面位置に形成されているので、切断刃２１ａ、２２ａによる切断面が電線の延長方向に対して鉛直になるように安定した状態で把持することができる。
このとき、回転対面部材２５、２６は、案内部２５ａ、２５ｂ、２６ａ、２６ｂの斜辺２５ｄ、２６ｄで電線を位置決め溝２５ｃ、２６ｃ内に位置させるように案内することができる。この案内部２５ａ、２５ｂ、２６ａ、２６ｂは、回転対面部材２５、２６が最大に開いた状態でも、電線が位置決め溝２５ｃ、２６ｃの一方側のみに収容状態になってしまうことなく、スムーズに位置決め溝２５ｃ、２６ｃ内に収容させて把持させることができる。
【００２９】
したがって、先端具１０は、ヤットコ１００の先端部１１１ａ、１１２ａに取付部１１により容易に取り付けることができる。この先端具１０は、そのヤットコ１００の把持操作をするだけで、遠隔位置の電線の回転付属部材２１、２２の切断刃２１ａ、２２ａによる切断位置の両側を回転対面部材２５、２６の位置決め溝２５ｃ、２６ｃ内で位置決め把持することができる。このため、ヤットコ１００を１人で操作して、切断面が鉛直面になるように、遠隔位置の電線を容易に切断することができる。
また、先端具１０は、その切断後の電線の端部をそれぞれ回転対面部材２５、２６の位置決め溝２５ｃ、２６ｃ内で把持する状態を継続することができ、その電線端部が不用意に周囲に接触させて短絡事故などを発生させてしまうことを未然に防止することができる。
【００３０】
ここで、本実施形態の他の態様としては、図７に示すように、回転対面部材２５、２６の位置決め溝２５ｃ、２６ｃを電線の外径よりの小さく形成して、それぞれに電線の外皮を切断する切断刃（外皮切断用刃部）２５ｅ、２６ｅを形成してもよい。この場合には、電線の切断と同時に電線端部の外皮を位置決め把持して切断することができ、その外皮をそのままヤットコ１００などで剥いでスリーブ等による導通接続作業を容易に行うことができる。
【００３１】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【符号の説明】
【００３２】
１０   先端具
１１   取付部
２１、２２    回転付属部材
２１ａ、２２ａ       切断刃
２５、２６    回転対面部材
２５ａ、２５ｂ、２６ａ、２６ｂ     案内部
２５ｃ、２６ｃ       位置決め溝
２５ｄ、２６ｄ       斜辺
３１、３２    個別回転軸
３３   共通回転軸
３４ａ、３４ｂ       延長軸
１００ ヤットコ
１１０ 把持部
１１１、１１２       回動部材
１１１ａ、１１２ａ   先端部
１１３ 回動軸
１２０ 操作部
１３０ 支持伝達部
【要約】
【課題】遠隔位置の電線等を切断面が鉛直面になるように切断する作業を一人で行うことができる遠隔把持道具用先端具を提供すること。
【解決手段】遠隔位置の目的物を把持するヤットコの回転部材の先端部に取り付ける一対の取付部１１と、取付部のそれぞれに一端側を個別回転軸３１、３２で回転自在に連結されているとともに他端側を互いに相対回転自在に共通回転軸３３で連結されている一対の回転付属部材２１、２２と、を備えて、回転付属部材の連結箇所の対向端辺に切断刃２１ａ、２２ａが形成されており、共通回転軸の両側に配置されて一端側を回転自在に連結されるとともに他端側を回転付属部材のそれぞれに固定軸３５ａ、３５ｂで対面状態に固定されて一体回転することにより切断刃が切断する線状部材の切断箇所の両側を把持する一対の回転対面部材２５、２６を有する。
【選択図】図１【図１】
0005592527.tif 000002
【図２】
0005592527.tif 000003
【図３】
0005592527.tif 000004
【図４】
0005592527.tif 000005
【図５】
0005592527.tif 000006
【図６】
0005592527.tif 000007
【図７】
0005592527.tif 000008